(57)【要約】本発明は、ユーザが直接製作したファッションアルバムをモバイルサービスするシステム及び方法に関し、より詳しくは、ＰＣを用いてアバター画像サーバに有線でアクセスしたユーザのアバターに、各種のファッションアイテムを着用した様子を動画形態で提供し、当該画像をユーザが指定した特定の移動体通信端末に停止画及びモバイルフラッシュ形態で提供し、時間及び場所の制約なく、閲覧またはダウンロード可能にワイヤレスモバイルサービスを提供するモバイルファッションアルバムサービスシステム及び方法に関する。本発明によるモバイルファッションアルバムサービスシステムは、ユーザＰＣと、前記ユーザＰＣとインターネットを介して連結され、ユーザのアバターに多様なファッションアイテムを着用させた様子を動画で提供するアバター画像サーバと、前記アバター画像サーバとインターネットを介して連結され、前記アバター画像サーバの要請に応じて、特定の移動体通信端末にコールバックＳＭＳを伝送するＳＭＳサーバと、前記アバター画像サーバ及びユーザＰＣと連結され、アイテム着用画像を伝送され、前記コールバックＳＭＳに応答し、移動体通信網を介してアクセスした移動体通信端末側に前記アイテム着用画像を提供するモバイルサーバと、を備えることを特徴とする。【選択図】      図１
2009510886.tif 000002
【特許請求の範囲】
【請求項１】
ユーザＰＣ１０と、
前記ユーザＰＣ１０とインターネットを介して連結され、ユーザのアバターに多様なファッションアイテムを着用させた様子を動画で提供するアバター画像サーバ１１０と、
前記アバター画像サーバ１１０とインターネットを介して連結され、前記アバター画像サーバ１１０の要請に応じて、特定の移動体通信端末２０にコールバックＳＭＳを伝送するＳＭＳサーバ１２０と、
前記アバター画像サーバ１１０及びユーザＰＣ１０と連結され、アイテム着用画像を伝送され、前記コールバックＳＭＳに応答し、移動体通信網を介してアクセスした移動体通信端末２０側に前記アイテム着用画像を提供するモバイルサーバ１３０と、を備えることを特徴とするユーザが直接製作するデジタルファッションアルバムサービスシステム。
【請求項２】
前記アバター画像サーバは、
３Ｄスキャナを用いてユーザの身体をスキャンして得たファッションデータから、３次元のアバターイメージを生成するアバター生成モジュール１１２と、
前記アバター生成モジュール１１２で生成した３次元のアバターイメージを保存するアバターＤＢ１１８と、
ユーザアバターに着用される衣装、アクセサリ等の多様なファッションアイテム情報が保存されているアイテムＤＢ１１９と、
ユーザの選択に応じて、前記アイテムＤＢ１１９に保存されているファッションアイテム情報を読み出し、読み出されたファッションアイテムをユーザのアバターに着用させた様子を動画として生成するフィッティングモジュール１１３と、
前記アバター生成モジュール及びフィッティングモジュールと連動し、インターネットを介してアクセスしたＰＣのユーザに、アバターベースの画像生成サービスを提供するウェブサービスモジュール１１１と、を備え、
前記ユーザＰＣは、
前記アバター画像サーバ１１０から伝送された動画をキャプチャーし、イメージファイルを生成する動画キャプチャーモジュール１１と、
前記動画キャプチャーモジュール１１で生成したイメージファイルをモバイルサーバ１３０に伝送するイメージ伝送モジュール１２と、を備えることを特徴とする請求項１に記載のユーザが直接製作するデジタルファッションアルバムサービスシステム。
【請求項３】
前記アバター画像サーバは、
３Ｄスキャナを用いてユーザの身体をスキャンして得たファッションデータから、３次元のアバターイメージを生成するアバター生成モジュール１１２と、
前記アバター生成モジュール１１２で生成した３次元のアバターイメージを保存するアバターＤＢ１１８と、
ユーザアバターに着用される衣装、アクセサリ等の多様なファッションアイテム情報が保存されているアイテムＤＢ１１９と、
ユーザの選択に応じて、前記アイテムＤＢ１１９に保存されているファッションアイテム情報を読み出し、読み出されたファッションアイテムをユーザのアバターに着用させた様子を動画として生成するフィッティングモジュール１１３と、
前記アバター生成モジュール及びフィッティングモジュールと連動し、インターネットを介してアクセスしたＰＣのユーザに、アバターベースの画像生成サービスを提供するウェブサービスモジュール１１１と、
前記フィッティングモジュール１１３で生成した動画をキャプチャーし、イメージファイルを生成する動画キャプチャーモジュール１１と、
前記動画キャプチャーモジュール１１で生成したイメージファイルをモバイルサーバ１３０に伝送するイメージ伝送モジュール１２と、を備えることを特徴とする請求項１に記載のユーザが直接製作するデジタルファッションアルバムサービスシステム。
【請求項４】
前記アバター生成モジュール１１２は、前記３Ｄスキャナから顔パターンデータを提供され、前記ユーザの３次元の顔イメージを生成し、前記アバターＤＢ１１８に既に保存されている多数の３次元のボディイメージを、ユーザＰＣの画面からディスプレイし、前記多数の３次元のボディイメージのいずれか一つの選択により、前記選択された３次元のボディイメージと前記顔イメージを組み合わせ、３次元のアバターイメージを生成することを特徴とする請求項３に記載のユーザが直接製作するデジタルファッションアルバムサービスシステム。
【請求項５】
前記モバイルサーバ１３０は、
伝送された停止画用イメージファイルを、当該イメージファイルが提供される移動体通信端末２０の電話番号情報と一緒に保存しておく停止画用イメージＤＢ１３８と、
伝送された動画用イメージファイルを、当該イメージファイルが提供される移動体通信端末２０の電話番号情報と一緒に保存しておく動画用イメージＤＢ１３９と、
アクセスした移動体通信端末２０の電話番号と連関したイメージファイルを、前記停止画用イメージＤＢ１３８から読み出し、読み出されたイメージファイルを停止画に変換する停止画変換モジュール１３１と、
アクセスした移動体通信端末２０の電話番号と連関したイメージファイルを、前記動画用イメージＤＢ１３９から読み出し、読み出されたイメージファイルをモバイルフラッシュ画像に変換する動画変換モジュール１３２と、
前記停止画変換モジュール１３１及び動画変換モジュール１３２と連動し、アクセスした移動体通信端末２０側にＷＡＰを用いたモバイルサービスを提供するＷＡＰサービスモジュール１３３と、を備えることを特徴とする請求項１乃至３のいずれか一項に記載のユーザが直接製作するデジタルファッションアルバムサービスシステム。
【請求項６】
前記ＷＡＰサービスモジュールは、移動体通信端末からコールバックＵＲＬにアクセスするとき、前記移動体通信端末側に端末情報を要請し、前記端末の画面解像度とモバイルフラッシュの再生が可能であるか否かを含めた情報を受信することを特徴とする請求項５に記載のユーザが直接製作するデジタルファッションアルバムサービスシステム。
【請求項７】
アバターベースのアイテム着用画像を生成するアバター画像サーバと、モバイルサーバと、ＳＭＳサーバとを備えるシステムを用いて、ユーザ製作ファッションアルバムサービスを提供する方法であって、
アバター画像サーバがインターネットを介してアクセスしたユーザの要請に応じて、ユーザの３次元のアバター情報と、選択されたファッションアイテム情報を用いて、ユーザのアバターに当該ファッションアイテムを着用したアイテム着用画像を生成及び表示するステップと、
アバター画像サーバがアイテム着用画像を観覧したユーザから、当該画像を移動体通信端末に提供し、モバイルサービスするか否かを入力されるステップと、
前記画像提供の要否の入力ステップにおいて、画像提供を選択した場合、ユーザＰＣ側で当該画像をキャプチャーし、停止画または動画用のキャプチャーイメージファイルを生成するステップと、
ユーザＰＣにおいて、ユーザに当該イメージを伝送される受信者の移動体通信端末の電話番号を入力されるステップと、
ユーザＰＣが、前記キャプチャーイメージ生成ステップで生成したイメージファイルと、前記電話番号入力ステップで入力された電話番号をモバイルサーバに伝送するステップと、
ＳＭＳサーバがアバター画像サーバの要請に応じて、受信者の移動体通信端末にコールバックＵＲＬ情報が含まれたコールバックＳＭＳを伝送するステップと、
コールバックＳＭＳを伝送された移動体通信端末からモバイルサーバにコールバックアクセスするステップと、
モバイルサーバがアクセスした移動体通信端末側にアバターベースのアイテム着用画像をファッションアルバム形態で閲覧またはダウンロード可能にモバイルサービスを提供するステップと、を含むことを特徴とするユーザが直接製作するデジタルファッションアルバムサービス方法。
【請求項８】
前記キャプチャーイメージ生成ステップ（ Ｓ１３０）は、
ユーザＰＣに予めインストールされている動画キャプチャーモジュールが、アバター画像サーバの要請に応じて駆動されることにより、キャプチャーイメージが生成することを特徴とする請求項７に記載のユーザが直接製作するデジタルファッションアルバムサービス方法。
【請求項９】
前記キャプチャーイメージ及び電話番号伝送ステップは、ユーザＰＣに予めインストールされているイメージ伝送モジュールが、アバター画像サーバの要請に応じて駆動されることにより、キャプチャーイメージ及び電話番号の伝送が行われることを特徴とする請求項７に記載のユーザが直接製作するデジタルファッションアルバムサービス方法。
【請求項１０】
アバターベースのアイテム着用画像を生成するアバター画像サーバと、モバイルサーバと、ＳＭＳサーバとを備えるシステムを用いて、ユーザ製作ファッションアルバムサービスを提供する方法であって、
アバター画像サーバがインターネットを介してアクセスしたユーザの要請に応じて、ユーザの３次元のアバター情報と、選択されたファッションアイテム情報を用いて、ユーザのアバターに当該ファッションアイテムを着用したアイテム着用画像を生成及び表示するステップと、
アバター画像サーバがアイテム着用画像を観覧したユーザから、当該画像を移動体通信端末に提供し、モバイルサービスするか否かを入力されるステップと、
前記画像提供の要否の入力ステップにおいて、画像提供を選択した場合、アバター画像サーバが当該画像をキャプチャーし、停止画または動画用のキャプチャーイメージファイルを生成するステップと、
ユーザＰＣにおいて、ユーザに当該イメージを伝送される受信者の移動体通信端末の電話番号を入力されるステップと、
アバター画像サーバが、前記キャプチャーイメージ生成ステップで生成したイメージファイルと、前記電話番号入力ステップで入力された電話番号をモバイルサーバに伝送するステップと、
ＳＭＳサーバがアバター画像サーバの要請に応じて、受信者の移動体通信端末にコールバックＵＲＬ情報が含まれたコールバックＳＭＳを伝送するステップと、
コールバックＳＭＳを伝送された移動体通信端末からモバイルサーバにコールバックアクセスするステップと、
モバイルサーバがアクセスした移動体通信端末側にアバターベースのアイテム着用画像をファッションアルバム形態で閲覧またはダウンロード可能にモバイルサービスを提供するステップと、を含むことを特徴とするユーザが直接製作するデジタルファッションアルバムサービス方法。
【請求項１１】
前記アイテム着用画像生成及び表示ステップは、
ユーザに多様なファッションアイテム目録を提供するステップと、
ユーザの入力に応じて、アバターＤＢ及びアイテムＤＢからユーザの３次元のアバター情報及び特定のファッションアイテム情報を読み出すステップと、
前記読み出されたアバター情報及び特定のファッションアイテム情報を組み合わせ、ユーザのアバターに特定のファッションアイテムを着用させた様子を動画として生成するステップと、
ユーザＰＣに当該動画を表示するステップと、を含むことを特徴とする請求項７または１０に記載のユーザが直接製作するデジタルファッションアルバムサービス方法。
【請求項１２】
前記モバイルサービス提供ステップは、
前記コールバックＳＭＳ伝送ステップによりコールバックＳＭＳを受信した移動体通信端末からコールバックアクセスがあるまで待機するステップと、
モバイルサーバにコールバックアクセスした移動体通信端末の端末情報を受信するステップと、
前記受信された端末情報を参考にして、保存されている停止画用イメージから当該端末の解像度に最適化された停止画を生成するステップと、
前記受信された端末情報から当該端末がモバイルフラッシュ動画を再生可能な端末であるかを判断するステップと、
前記モバイルフラッシュ再生が可能であるか否かを判断するステップにおいて、再生可能であると判断される場合、保存された動画用イメージから当該端末で再生可能なモバイルフラッシュ画像を生成するステップと、
アクセスされた移動体通信端末側に前記生成した停止画及びモバイルフラッシュ画像を閲覧し、または、所望の画像をダウンロード可能なメニュー画面を提供するステップと、を含むことを特徴とする請求項７または１０に記載のユーザが直接製作するデジタルファッションアルバムサービス方法。
【発明の詳細な説明】
【発明の分野】
【０００１】
本発明は、ユーザが直接製作したファッションアルバムをモバイルサービスするシステム及び方法に関し、より詳しくは、ＰＣを用いてアバター画像サーバに有線でアクセスしたユーザのアバターに、各種のファッションアイテムを着用した様子を動画形態で提供し、当該画像をユーザが指定した特定の移動体通信端末に停止画及びモバイルフラッシュ形態で提供し、時間及び場所の制約なく、閲覧またはダウンロード可能にワイヤレスモバイルサービスを提供するデジタルファッションアルバムサービスシステム及び方法に関する。
【発明の背景】
【０００２】
最近になって、通信技術の発達に伴い、携帯電話をはじめとした各種の移動体通信端末を用いたワイヤレスインターネットの利用率が増加すると共に、有線通信網を介して提供される既存のウェブコンテンツサービスのように、移動体通信網を介して提供されるモバイルコンテンツサービスが脚光を浴びている。
【０００３】
このようなモバイルコンテンツサービスは、ユーザが自身の移動体通信端末で、特定のコンテンツプロバイダ（contents provider；CP）が提供するサイトにアクセスし、ベル音、ＭＰ３のような音声データや写真、動画のような画像データ等を閲覧し、または、所望の場合、自身の端末に伝送される方式で提供される。
【０００４】
特に、モバイルファッション画報サービスのような場合は、移動体通信端末を介して有名デザイナの衣装コレクションや有名芸能人のファッション画報等を、時間と場所の制約なく、所望のとき、直ぐに受け取ることができるようにすることにより、一般人が衣装等をはじめとしたファッションアイテムに関する最新流行のトレンドを容易に接することができるようにしている。
【０００５】
しかしながら、このようなモバイルファッション画報サービスは、身体条件のよいモデルや芸能人がファッションアイテムを着用した様子のみを一方的に見せることにより、ユーザが自身に似合う製品を取捨選択することが難しいという問題点があった。
【０００６】
一方、最近、若者を中心として、個性と自己表現の欲求が強くなると共に、ウェブコンテンツプロバイダが一方的に提供するコンテンツを受動的に提供される方式を外れて、自身が直接製作した写真や動画のようなマルチメディアコンテンツを他人と共有可能にするユーザクリエイトコンテンツ（User Created Contents；UCC）サービス市場が急に拡大している。
【０００７】
このようなユーザクリエイトコンテンツサービスにおいて、ユーザを３Ｄスキャンして３次元のアバターイメージを生成し、ユーザが、衣類等のファッションアイテムを自身のアバターに着用させながら、自身に当該アイテムがよく似合うかを仮想的に体験可能にするサービスを開発し、ユーザが前記アバター生成システムを用いながら、自身によく似合うと判断される様々なファッションアイテムについて、当該アイテムを着用した様子を画像として取り込み、自身が直接作った画像を自己自身や友たちの移動体通信端末を介して閲覧しまたは伝送されるようにする、ユーザ製作中心のモバイルファッションアルバムサービスが要求されている。
【発明の開示】
【発明の概要】
【０００８】
技術的課題
そこで、本発明はこのような問題点に鑑みてなされたもので、その目的は、ＰＣを用いてアバター画像サーバに有線でアクセスしたユーザのアバターに各種のファッションアイテムを着用した様子を動画形態で提供し、当該画像をユーザが指定した特定の移動体通信端末に停止画及びモバイルフラッシュの形態で提供し、時間及び場所の制約なく、閲覧またはダウンロード可能にするモバイルファッションアルバムサービスシステム及び方法を提供することにある。
【０００９】
技術的解決法
上記課題を解決するため、本発明によるユーザが直接製作するデジタルファッションアルバムサービスシステムは、ユーザＰＣと、前記ユーザＰＣとインターネットを介して連結され、ユーザのアバターに多様なファッションアイテムを着用させた様子を動画で提供するアバター画像サーバと、前記アバター画像サーバとインターネットを介して連結され、前記アバター画像サーバの要請に応じて、特定の移動体通信端末にコールバックＳＭＳを伝送するＳＭＳサーバと、前記アバター画像サーバ及びユーザＰＣと連結され、アイテム着用画像を伝送され、前記コールバックＳＭＳに応答し、移動体通信網を介してアクセスした移動体通信端末側に前記アイテム着用画像を提供するモバイルサーバと、を備えることを特徴とする。
【００１０】
また、本発明によるファッションアルバムサービス方法は、アバター画像サーバがインターネットを介してアクセスしたユーザの要請に応じて、ユーザの３次元のアバター情報と、選択されたファッションアイテム情報を用いて、ユーザのアバターに当該ファッションアイテムを着用したアイテム着用画像を生成及び表示するステップと、アバター画像サーバがアイテム着用画像を観覧したユーザから、当該画像を移動体通信端末に提供し、モバイルサービスするか否かを入力されるステップと、前記画像提供の要否の入力ステップにおいて、画像提供を選択した場合、ユーザＰＣ側で当該画像をキャプチャーし、停止画または動画用のキャプチャーイメージファイルを生成するステップと、ユーザＰＣにおいて、ユーザに当該イメージを伝送される受信者の移動体通信端末の電話番号を入力されるステップと、ユーザＰＣが、前記キャプチャーイメージ生成ステップで生成したイメージファイルと、前記電話番号入力ステップで入力された電話番号をモバイルサーバに伝送するステップと、ＳＭＳサーバがアバター画像サーバの要請に応じて、受信者の移動体通信端末にコールバックＵＲＬ情報が含まれたコールバックＳＭＳを伝送するステップと、コールバックＳＭＳを伝送された移動体通信端末からモバイルサーバにコールバックアクセスするステップと、モバイルサーバがアクセスした移動体通信端末側にアバターベースのアイテム着用画像をファッションアルバム形態で閲覧またはダウンロード可能にモバイルサービスを提供するステップと、を含んで構成されることを特徴とする。
【００１１】
有利な効果
本発明によるユーザが直接製作するデジタルファッションアルバムサービスシステム及び運用方法は、ユーザが自身のアバターをベースとした多様なファッションアイテム着用画像を移動体通信端末に提供し、ユーザ中心のモバイルファッションアルバムを提供することができるという効果がある。
【００１２】
また、オンラインショッピングモール等に適用するとき、特定のファッション製品を購買する前に、知り合いの移動体通信端末にモバイルファッションアルバムを提供し、知り合いから当該製品についての助言を得ることができるようにすることにより、より中身のある購買を誘導することができるという効果もある。
【詳細な説明】
【００１３】
以下、添付した図面に基づき、本発明の好適な実施例について詳述する。
【００１４】
図１は、本発明の一実施例によるユーザが直接製作するデジタルファッションアルバムサービスシステムの構成図である。
【００１５】
図１に示すように、本発明の一実施例によるユーザが直接製作するデジタルファッションアルバムサービスシステムは、ユーザＰＣ１０と、ユーザＰＣ１０とインターネットを介して連結され、ユーザのアバターに多様なファッションアイテムを着用させた様子を動画で提供するアバター画像サーバ１１０と、インターネットを介してアバター画像サーバ１１０と連結され、アバター画像サーバの要請に応じて、特定の移動体通信端末２０にコールバックＳＭＳを伝送するＳＭＳサーバ１２０と、インターネットを介してアバター画像サーバ１１０及びユーザＰＣ１０と連結され、アイテム着用画像を伝送され、コールバックＳＭＳに応答し、移動体通信網を介してアクセスした移動体通信端末２０側に当該画像を提供するモバイルサーバ１３０と、を備えて構成される。
【００１６】
アバター画像サーバ１１０は、３Ｄスキャナを用いてユーザの身体をスキャンして得たファッションデータから、３次元のアバターイメージを生成するアバター生成モジュール１１２と、アバター生成モジュール１１２で生成した３次元のアバターイメージを保存するアバターＤＢ１１８と、ユーザアバターに着用される衣装、アクセサリ等の多様なファッションアイテム情報が保存されているアイテムＤＢ１１９と、ユーザの選択に応じて、アイテムＤＢ１１９に保存されているファッションアイテム情報を読み出し、読み出されたファッションアイテムをユーザのアバターに着用させた様子を動画として生成するフィッティングモジュール１１３と、アバター生成モジュール及びフィッティングモジュールと連動し、インターネットを介してアクセスしたＰＣのユーザに、アバターベースの画像生成サービスを提供するウェブサービスモジュール１１１と、を備えて構成される。
【００１７】
ここで、前記アバター生成モジュール１１２は、３Ｄスキャナから顔パターンデータを提供され、前記ユーザの３次元の顔イメージを生成し、前記アバターＤＢ１１８に既に保存されている多数の３次元のボディイメージを、ユーザＰＣの画面からディスプレイし、前記多数の３次元のボディイメージのいずれか一つの選択により、前記選択された３次元のボディイメージと前記顔イメージを組み合わせ、３次元のアバターイメージを生成する。
【００１８】
ユーザＰＣ１０は、アバター画像サーバ１１０から伝送された動画をキャプチャーし、イメージファイルを生成する動画キャプチャーモジュール１１と、動画キャプチャーモジュール１１で生成したイメージファイルをモバイルサーバ１３０に伝送するイメージ伝送モジュール１２と、で構成される。
【００１９】
ここで、動画キャプチャーモジュール１１及びイメージ伝送モジュール１２は、ユーザＰＣ１０がアバター画像サーバ１１０に最初にアクセスした場合、当該ＰＣ１０に自動に伝送されてインストールされるＡｃｔｉｖｅＸをベースとする応用プログラムであって、以下、その作動過程について略述する。
【００２０】
アバター画像サーバ１１０にアクセスしたユーザが、アバター画像サーバ１１０によりＰＣ１０に出力されるアバターベースのアイテム着用画像を見ながら、アバターに着用させたファッションアイテムが気に入る場合、アバター画像サーバ１１０が提供する「画像提供」のようなメニューを選択すると、動画キャプチャーモジュール１１が、ユーザＰＣ１０内で駆動され、当該画像をキャプチャーしたイメージファイルを生成させ、次いで、ユーザが当該画像を提供しようとする移動体通信端末の電話番号を入力すると、イメージ伝送モジュール１２が駆動され、生成したイメージファイルを入力された電話番号情報と一緒にモバイルサーバ１３０に伝送するようになる。
【００２１】
このように、アバターベースのアイテム着用画像に対するイメージキャプチャー作業とモバイルサーバ１３０への伝送作業を、アバター画像サーバ１１０ではなく、ユーザＰＣ１０で行うように構成することにより、アバター画像サーバ１１０の作動負荷を大きく節減することができる。
【００２２】
動画キャプチャーモジュール１１で生成するイメージファイルは、ユーザが選択した特定時点でキャプチャーされた停止画用イメージファイルや、一定時間の間順次にキャプチャーされた多数の動画用イメージファイルに分けられるが、動画用イメージファイルの場合、１０秒間、１０フレーム／ｓｅｃでキャプチャーするように設定されたとき、合計１００個のファイルが生成する。ここで、イメージファイルは、ＪＰＥＧ（Joint Photographic Expert Group）のような停止画圧縮標準により圧縮されたファイルであり、イメージ伝送速度を高くすることができるファイル形態であることが好ましい。
【００２３】
コールバックＳＭＳは、ユーザが自身のアバターに、特定のファッションアイテムを着用したアイテム着用画像を、モバイルサービスで提供しようとするとき、アバター画像サーバ１１０の要請に応じて、ユーザが指定した移動体通信端末２０にコールバックＳＭＳを伝送するが、コールバックＳＭＳには、移動体通信端末２０がモバイルファッションアルバムサービスを受けるためにアクセスする可能性のあるモバイルサーバ１３０のＵＲＬ情報が含まれている。
【００２４】
モバイルサーバ１３０は、伝送された停止画用イメージファイルと動画用イメージファイルを、当該イメージファイルが提供される移動体通信端末２０の電話番号情報と一緒に、それぞれ保存しておく停止画用イメージＤＢ１３８及び動画用イメージＤＢ１３９と、アクセスした移動体通信端末２０の電話番号と連関したイメージファイルを、停止画用イメージＤＢ１３８及び動画用イメージＤＢ１３９から読み出し、読み出されたイメージファイルをそれぞれ停止画及びモバイルフラッシュ画像に変換する停止画変換モジュール１３１及び動画変換モジュール１３２と、停止画変換モジュール１３１及び動画変換モジュール１３２と連動し、アクセスした移動体通信端末２０側にＷＡＰ（Wireless Application Protocol）を用いたモバイルサービスを提供するＷＡＰサービスモジュール１３３と、で構成される。
【００２５】
ＷＡＰサービスモジュール１３３は、移動体通信端末２０からコールバックＵＲＬにアクセスするとき、移動体通信端末２０側に端末情報を要請し、端末の画面解像度とモバイルフラッシュの再生が可能であるか否か等の情報を受信するが、移動体通信端末２０から端末情報を伝送されるために、ＷＭＬ（Wireless Markup Language）スクリプトのようなワイヤレスプロトコル言語を用いることができる。
【００２６】
停止画変換モジュール１３１及び動画変換モジュール１３２は、前記受信された端末情報、すなわち、端末の画面解像度等を参照して、当該端末に最適化された停止画及びモバイルフラッシュ画像をそれぞれ生成するようになる。
【００２７】
ここで、移動体通信端末２０がモバイルフラッシュ再生可能な種類である場合に限って、動画変換モジュール１３２でモバイルフラッシュ画像を生成し、ＷＡＰサービスモジュール１３３でフラッシュ画像を閲覧またはダウンロード可能なメニューを提供するようにすることが好ましい。
【００２８】
以上では、動画キャプチャーモジュール１１及びイメージ伝送モジュール１２が、ユーザＰＣ１０にインストールされ、アバター画像サーバ１１０から提供するアバターベースのアイテム着用画像をイメージファイルとしてキャプチャーし、モバイルサーバ１３０に伝送するように構成されているが、動画キャプチャーモジュール１１及びイメージ伝送モジュール１２をユーザＰＣ１０ではなく、アバター画像サーバ１１０に備え、アバター画像サーバ１１０で直接動画をキャプチャーし、モバイルサーバ１３０に伝送するように構成してもよい。
【００２９】
また、モバイルサーバ１３０において、停止画用イメージＤＢ１３８及び動画用イメージＤＢ１３９を備えず、伝送された停止画用イメージファイルと動画用イメージファイルをハードディスク上のファイル形態で保存しておき、定められた一定の期間、例えば、３ヶ月が経つと、保存されたファイルを自動に削除するように構成してもよい。
【００３０】
以下、上述したように構成されたシステムを用いて、本発明の一実施例によるユーザが直接製作するデジタルファッションアルバムサービスを提供する方法について、図２を参照して詳述する。
【００３１】
先ず、アバター画像サーバ１１０は、インターネットを介してアクセスしたユーザの要請に応じて、ユーザの３次元のアバター情報と、選択されたファッションアイテム情報を用いて、ユーザのアバターに当該ファッションアイテムを着用したアイテム着用画像を生成し、ユーザＰＣ１０に表示させる（Ｓ１１０）。
【００３２】
以下、このステップにおいて、アバターイメージを生成する過程について詳述する。
【００３３】
前記アバター画像サーバ１１０のアバター生成モジュール１１２では、ユーザから提供された３次元のアバター情報が、ユーザの顔パターンデータであるか、ユーザの前身パターンデータであるかを判断し、判断の結果、ユーザの顔パターンデータである場合、アバター生成モジュール１１２は、顔パターンデータをアバター生成アルゴリズムに適用させ、ユーザの顔に対応する３次元の顔イメージを生成するようになる。
【００３４】
その後、アバター生成モジュール１１２は、アバターＤＢ１１８から３次元のボディイメージを引き出した後、これを表示装置にディスプレイさせる。
【００３５】
ディスプレイされた３次元のボディイメージのいずれか一つを選択すると、アバター生成モジュール１１２は、選択された３次元のボディイメージと３次元の顔イメージを結合させ、ユーザの３次元のアバターイメージを生成した後、表示装置にディスプレイさせると共に、アバターＤＢ１１８に保存させる。この際、アバターＤＢ１１８に保存されたボディイメージは、３次元のボディイメージである。
【００３６】
一方、３次元のアバター情報が、ユーザの前身パターンデータである場合、アバター生成モジュール１１２は、前身パターンデータをアバター生成アルゴリズムに適用させ、ユーザの３次元のアバターイメージを生成した後、これを表示装置にディスプレイさせると共に、生成した３次元のアバターイメージをアバターＤＢ１１８に保存させる。
【００３７】
ここで、アバター画像サーバ１１０は、ユーザに多様なファッションアイテム目録を提供し、ユーザの入力に応じて、アバターＤＢ１１８及びアイテムＤＢ１１９からユーザの３次元のアバター情報及び特定のファッションアイテム情報を読み出し、ユーザのアバターに特定のファッションアイテムを着用させた様子を動画として生成するようになる。また、ユーザは、ＰＣ１０に表示されるアイテム着用画像をマウスやキーボード操作により、多様な角度で観察することができ、ファッションショーのように動的に歩く様子を観覧することもできる。
【００３８】
以降、アバター画像サーバ１１０は、アイテム着用画像を観覧したユーザから、当該画像を移動体通信端末に提供し、モバイルサービスするか否かを入力されるが（Ｓ１２０）、ユーザが画像の提供を所望しないときは、前記アイテム着用画像生成及び表示ステップ（Ｓ１１０）に戻り、ユーザが他のファッションアイテムを再度選択するようにし、画像の提供を選択した場合は、ユーザＰＣ１０で当該画像をキャプチャーし、停止画または動画用のキャプチャーイメージファイルを生成するようになる（Ｓ１３０）。
【００３９】
次いで、ユーザＰＣ１０は、ユーザに当該イメージを伝送される受信者の移動体通信端末２０の電話番号を入力され（Ｓ１４０）、キャプチャーイメージ生成ステップ（Ｓ１３０）で生成したイメージファイルと、前記電話番号入力ステップ（Ｓ１４０）で入力された電話番号をモバイルサーバ１３０に伝送するようになる（Ｓ１５０）。
【００４０】
ここで、キャプチャーイメージ生成ステップ（Ｓ１３０）とイメージファイル及び電話番号伝送ステップ（Ｓ１５０）におけるキャプチャーイメージの生成及び伝送作業は、ユーザＰＣ１０に予めインストールされている動画キャプチャーモジュール１１及びイメージ伝送モジュール１２が、アバター画像サーバ１０の要請に応じて駆動されることにより行われる。
【００４１】
また、前記イメージファイル及び電話番号伝送ステップ（Ｓ１５０）により、イメージファイル及び電話番号が伝送されると、モバイルサーバ１３０は、伝送された情報をそれぞれ停止画用イメージＤＢ１３８及び動画用イメージＤＢ１３９に保存させるようになる。
【００４２】
前記イメージファイル及び電話番号伝送ステップ（Ｓ１５０）が完了すると、アバター画像サーバ１１０は、ＳＭＳサーバ１２０にＳＭＳ伝送を要請するようになり、ＳＭＳサーバ１２０は、受信者の移動体通信端末２０にコールバックＵＲＬ情報が含まれたコールバックＳＭＳを伝送する（Ｓ２００）。
【００４３】
以降、コールバックＳＭＳを伝送された移動体通信端末２０のユーザがワイヤレスインターネットアクセスボタン等を押してモバイルサーバ１３０にアクセスするようになると（Ｓ３００）、モバイルサーバ１３０は、アクセスした移動体通信端末２０側にアバターベースのアイテム着用画像をファッションアルバム形態で閲覧またはダウンロード可能にモバイルサービスを提供するようになる（Ｓ４００）。
【００４４】
ここで、上述したように、動画キャプチャーモジュール１１及びイメージ伝送モジュール１２が、ユーザＰＣ１０ではなく、アバター画像サーバ１１０に備えられた場合は、前記キャプチャーイメージ生成ステップ（ Ｓ１３０）と、イメージファイル及び電話番号伝送ステップ（Ｓ１５０）において、アバター画像サーバ１１０で直接キャプチャーイメージファイルを生成し、イメージファイル及び電話番号をモバイルサーバ１３０に伝送するようになる。
【００４５】
以下、図３を参照して、上述したモバイルサービス提供ステップ（Ｓ４００）についてさらに詳述する。
【００４６】
先ず、モバイルサーバ１３０は、アクセスされた移動体通信端末２０にＷＭＬスクリプトを伝送し、それに対する応答として、端末の画面解像度とフラッシュ動画の再生が可能であるか否か等の端末情報を受信するようになる（Ｓ４２０）。
【００４７】
以降、モバイルサーバ１３０は、受信された端末情報を参考にして、上記したイメージファイル伝送ステップ（Ｓ１５０）において、停止画用イメージＤＢ１３８に保存されている停止画用イメージを読み出し、当該端末の解像度に最適化された停止画を生成するようになる（Ｓ４３０）。
【００４８】
また、モバイルサーバ１３０は、受信された端末情報から、当該端末がモバイルフラッシュ動画を再生可能な端末であるかを判断し（Ｓ４４０）、モバイルフラッシュ再生が可能な端末であると判断される場合、上記したイメージファイル伝送ステップ（Ｓ１５０）において、動画用イメージＤＢ１３９に保存されている動画用イメージを読み出し、当該端末で再生可能なモバイルフラッシュ画像を生成する（Ｓ４５０）。
【００４９】
最終的に、モバイルサーバ１３０は、アクセスされた移動体通信端末２０側に停止画及びモバイルフラッシュ画像で構成されたファッションアルバムを閲覧し、または、特定の画像をダウンロード可能なメニュー画面を提供するようになるが（Ｓ４６０）、移動体通信端末２０上に表示されるメニュー画面の例については、後に詳述する。
【００５０】
図４は、図２に示したコールバックＳＭＳ伝送ステップにおいて、コールバックＳＭＳを受信した移動体通信端末側でコールバックＳＭＳに応答してサービスを提供される画面例を示す図である。
【００５１】
移動体通信端末側において、上述したコールバックＳＭＳ伝送ステップ（Ｓ２００）により、ＳＭＳサーバから伝送されたコールバックＳＭＳを確認すると、図４の（ａ）に示すように、ファッションアルバムが到着したことを知らせると共に、モバイルサーバに連結するか否かを要請されるようになる。
【００５２】
これに応答して、移動体通信端末のユーザが確認メニューを選択すると、移動体通信端末は、コールバックＳＭＳに含まれているコールバックＵＲＬにアクセスするようになり、図４の（ｂ）に示すように、移動体通信端末の画面には、上述したアルバム閲覧及びダウンロードサービス提供ステップ（Ｓ４６０）において、モバイルサーバから提供されるメニューの初期画面が表示される。ここで、移動体通信端末のユーザは、「停止画ビュー」及び「停止画ダウンロード」メニューにより、提供された停止画を閲覧し、または、ダウンロードすることができ、「フラッシュビュー」及び「フラッシュダウンロード」メニューにより、提供されたフラッシュ画像を閲覧し、または、ダウンロードすることができる。
【００５３】
以上、本発明は、上述した実施例及び添付図面により限定されるものではなく、本発明の技術的思想を外れない範囲内で様々な置換、変形、及び変更が可能であるというのは、本発明の属する技術の分野における通常の知識を有する者にとっては明白であると言える。
【００５４】
産業上の利用可能性
本発明によるユーザが直接製作するデジタルファッションアルバムサービスシステム及びその運用方法は、移動体通信網とインターネット網を連動させ、移動体通信社の付加サービス事業とインターネットベースの電子商取引分野の発展を促進することができる。
【図面の簡単な説明】
【００５５】
【図１】本発明の一実施例によるユーザ製作モバイルファッションアルバムサービスシステムの構成図である。
【図２】本発明の一実施例によるユーザ製作モバイルファッションアルバムサービス方法を示すフローチャートである。
【図３】図２に示したモバイルサービス提供ステップをより詳細に示すフローチャートである。
【図４】図２に示したコールバックＳＭＳ伝送ステップにおいて、コールバックＳＭＳを受信した移動体通信端末側でコールバックＳＭＳに応答してサービスを提供される画面例を示す図である。
【符号の説明】
【００５６】
１０    ユーザＰＣ
１１    動画キャプチャーモジュール
１２    イメージ伝送モジュール
２０    移動体通信端末
１１０  アバター画像サーバ
１１１  ウェブサービスモジュール
１１２  アバター生成モジュール
１１３  フィッティングモジュール
１１８  アバターＤＢ
１１９  アイテムＤＢ
１２０  ＳＭＳサーバ
１３０  モバイルサーバ
１３１  停止画変換モジュール
１３２  動画変換モジュール
１３３  ＷＡＰサービスモジュール
１３８  停止画用イメージＤＢ
１３９  動画用イメージＤＢ
【図１】
2009510886.tif 000003
【図２】
2009510886.tif 000004
【図３】
2009510886.tif 000005
【図４】
2009510886.tif 000006
【国際調査報告】
2009510886.tif 000007
2009510886.tif 000008